(57)【要約】【課題】商品を購入する際に使用する携帯端末装置において、状況に応じて必要な非接触通信機能のみを動作させ、電力消費削減を行う。【解決手段】ユーザが店舗で商品を購入する際に使用する携帯端末装置において、位置情報に基づきユーザの行為を推定し、当該推定された行為に基づいて、ＲＦＩＤリーダの電源及び近距離無線通信部の電源のそれぞれのオン・オフ制御を実行する。位置情報は、好適には、過去の位置情報と現在の位置情報の組み合わせである。また、商品の決済が完了したかどうかの情報をさらに利用し、不正持ち出しを検知して警告を発するように構成できる。【選択図】図１
2020038489.tif 000002
【特許請求の範囲】
【請求項１】
ユーザが店舗で商品を購入する際に使用する携帯端末装置であって、
前記商品に取り付けられたＲＦＩＤタグを検知し、そこに格納された商品情報を読み出すためのＲＦＩＤリーダと、
近距離無線通信を使用して前記店舗の店舗端末と通信するための近距離無線通信部と、
前記携帯端末装置の位置情報を取得する位置情報取得部と、
前記携帯端末装置の動作を制御する制御部と、
を具備し、
前記制御部は、前記位置情報に基づき前記ユーザの行為を推定し、当該推定された行為に基づいて、前記ＲＦＩＤリーダの電源及び前記近距離無線通信部の電源のそれぞれのオン・オフ制御、を実行することを特徴とする携帯端末装置。
【請求項２】
前記制御部は、
前記位置情報が、前記店舗のいずれかの入口を経由して前記店舗のいずれかの売場に来たことを示す場合に、前記ユーザの行為は買物を行うものと推定し、動作モードを買物前モードに移行させて前記ＲＦＩＤリーダの電源をオンかつ前記近距離無線通信部の電源をオフにすること、
前記位置情報が、前記店舗のいずれかの売場を経由して前記店舗のいずれかのレジに来たことを示す場合に、前記ユーザの行為は買物の決済を行うものと推定し、前記動作モードを決済前モードに移行させて前記ＲＦＩＤリーダの電源をオフかつ前記近距離無線通信部の電源をオンにすること、及び
前記位置情報が、前記店舗のいずれかのレジを経由して前記店舗のいずれかの出口に来たことを示す場合に、前記ユーザの行為は退店するものと推定し、前記動作モードを退店モードに移行させて前記ＲＦＩＤリーダの電源をオフかつ前記近距離無線通信部の電源をオフにすること、を実行する請求項１に記載の携帯端末装置。
【請求項３】
前記制御部は、前記動作モードが移行したときに、通知を発すること、をさらに実行する請求項２に記載の携帯端末装置。
【請求項４】
前記制御部は、前記ＲＦＩＤリーダが前記商品のいずれかに取り付けられた前記ＲＦＩＤタグを検知したときに、前記ＲＦＩＤタグから前記商品情報を読み出し、前記商品情報に対応する商品を購買リストに記憶すること、をさらに実行する請求項２又は３に記載の携帯端末装置。
【請求項５】
前記制御部は、前記決済前モードに移行したときに、決済を促すメッセージ又は音声を出力すること、をさらに実行する請求項４に記載の携帯端末装置。
【請求項６】
前記近距離無線通信部を通じて前記店舗端末と通信し、前記購買リストに記憶された前記商品の決済を行う決済部、をさらに有し、
前記決済前モードへの移行は、前記決済部による決済が完了した状態で、前記位置情報が、前記店舗のいずれかの売場を経由して前記店舗のいずれかのレジに来たことを示す場合に行われる、請求項５に記載の携帯端末装置。
【請求項７】
前記制御部は、前記ＲＦＩＤリーダが前記商品のいずれかに取り付けられた前記ＲＦＩＤタグを検知した後に、前記決済部による決済が行われない状態で、前記位置情報が前記店舗のいずれかの出口に来たことを示す場合に、警告を発すること、をさらに実行する請求項６に記載の携帯端末装置。
【請求項８】
店舗サーバと通信する通信部をさらに有し、
前記制御部は、前記位置情報が、前記店舗のいずれかの入口を経由して前記店舗の内部に来たことを示す場合に、入店した旨を前記店舗サーバに前記通信部により通知すること、をさらに実行する請求項１から７のいずれか１項に記載の携帯端末装置。
【請求項９】
前記制御部は、前記入店した旨を通知した後に、前記店舗サーバからクーポン情報を受信すること、をさらに実行する請求項８に記載の携帯端末装置。
【請求項１０】
前記制御部は、前記位置情報が、前記店舗のいずれかの出口を経由して前記店舗の外部に来たことを示す場合に、退店した旨を前記店舗サーバに前記通信部により通知すること、をさらに実行する請求項８又は９に記載の携帯端末装置。
【請求項１１】
前記制御部は、前記退店した旨を通知した後に、前記店舗サーバからクーポン情報を受信すること、をさらに実行する請求項１０に記載の携帯端末装置。
【請求項１２】
請求項１から１１のいずれか１項に記載の携帯端末装置としてコンピュータを機能させるためのコンピュータプログラム。
【発明の詳細な説明】
【技術分野】
【０００１】
本発明は、携帯端末装置に関し、より詳しくは、ユーザが店舗で商品を購入する際に使用する携帯端末装置に関する。
【背景技術】
【０００２】
小売店において、商品にＲＦＩＤタグを貼付し、小型タグ読み取り機器によってタグを検知し、レジでチェックを行うことなく会計を行う無人店舗システムが開発されている。また、近距離無線通信（ＮＦＣ）を使用して、電子マネーのＩＣをレジと接続し、非接触による決済を行う技術があり、小売店における商品購入時の決済手段として、ＮＦＣインターフェイス（Ｉ／Ｆ）を有するＩＣカードや、ＮＦＣ  Ｉ／Ｆを実装したスマートフォンを使用して非接触で決済を行う技術は既に普及している。ここで、通常、ＲＦＩＤはＵＨＦ帯の電波を使用しており、ＮＦＣはＨＦ帯の電波を使用している。また、スマートフォンにＲＦＩＤリーダ機能及びＮＦＣ通信機能を実装すれば、スマートフォンでの商品の検知及び商品の決済が可能となる。
【０００３】
このように、購入する商品の検知をＲＦＩＤで行い、購入代金の支払いをＮＦＣで行う実装は、対応する既存インフラが広く普及している状況に合致したものであり、その実施を行い易いという利点がある。しかし、そのような非接触通信を用いたシステムでは、小型読み取り機やスマートフォンに実装されているバッテリー容量はあまり大きくはないことが通常であり、非接触通信のためにポーリングや搬送波の送出を常に実行させると、バッテリーの持続時間が短くなるという問題がある。
【０００４】
従来の技術としては、店舗内の位置情報及び購買履歴を分析することにより、購買行動を推定する技術がある（特許文献１）。その技術によって、スマートフォンなどのモバイル処理装置を利用して取得できる情報を利用して、対象顧客本人又は他の顧客の過去の購買行動（例えば、動線や滞在時間）を基にして、店舗内又は店舗間における顧客の購買行動（例えば、動線や滞在時間）を推定することが可能となっている。しかし、その技術は、位置情報と購買履歴情報から次の購買行動を推定した後、スマートフォンの機能の設定を変更するものではなく、端末の電力使用量を制御することによりバッテリーの持続時間を延長させるものではない。
【先行技術文献】
【特許文献】
【０００５】
【特許文献１】特許第５９６７５５３号公報
【発明の概要】
【発明が解決しようとする課題】
【０００６】
上述のように、ＲＦＩＤ及びＮＦＣの両方の非接触通信を用いたスマートフォンは、それらの非接触通信機能が電力を消費するものであるが、バッテリー容量はあまり大きくはない。従って、ＲＦＩＤ及びＮＦＣの両方の非接触通信を行っていると、バッテリーの持続時間が短くなるという課題がある。これに対して、小売店において、どのゾーン（売場、レジ、店舗外、など）に顧客がいるのかという位置情報に合わせて、ゾーンごとにスマートフォンの機能を切り替えてＲＦＩＤリーダ機能及びＮＦＣ機能の電源をオン・オフさせることにより、消費電力を小さくさせることが考えられる。しかし、位置情報だけでスマートフォンの機能を切り替えると、ユーザが小売店内で買物をせず、ただレジを通過する様なシーンでも、機能の切り換えが行われてしまい、ユーザの現実の行動と合致しないような機能に切り換えられる恐れがある。例えば、大規模なショッピングモール等で、スーパーマーケット等と隣接する通路を通行しただけでも、スマートフォンの機能の切り換えが行われてしまう可能性があって実用的とは言えず、依然として上記の課題を解決するような目的に使用することはできない。
【課題を解決するための手段】
【０００７】
本発明は、上記の課題を解決するためになされたものであり、小売店内でスマートフォンによって取得されたユーザの位置情報や、買物進捗情報（買物カゴに商品が投入されているか否か、商品を買物カゴに投入した後にレジに近づいたか否か等）に基づいて、ユーザの行為を推定し、その推定された行為に基づいて、スマートフォンの複数の非接触通信機能の有効／無効を切り替えるための適切な仕組みを提供することにより、ユーザの状況に応じて必要な非接触通信機能のみを動作させ、電力消費の削減を行い、バッテリーの持続時間を延長させるものである。本発明は、また、買物進捗情報に基づき、利用者の間違った行為の抑制等も目的とするものである。
【０００８】
本発明は、ユーザが店舗で商品を購入する際に使用する携帯端末装置において、商品に取り付けられたＲＦＩＤタグを検知し、そこに格納された商品情報を読み出すためのＲＦＩＤリーダと、近距離無線通信を使用して店舗の店舗端末と通信するための近距離無線通信部と、携帯端末装置の位置情報を取得する位置情報取得部と、携帯端末装置の動作を制御する制御部と、を具備し、制御部は、位置情報に基づきユーザの行為を推定し、当該推定された行為に基づいて、ＲＦＩＤリーダの電源及び近距離無線通信部の電源のそれぞれのオン・オフ制御、を実行することを特徴とする。本発明は、制御部が、
位置情報が、店舗のいずれかの入口を経由して店舗のいずれかの売場に来たことを示す場合に、ユーザの行為は買物を行うものと推定し、動作モードを買物前モードに移行させて、ＲＦＩＤリーダの電源をオンかつ近距離無線通信部の電源をオフにすること、
位置情報が、店舗のいずれかの売場を経由して店舗のいずれかのレジに来たことを示す場合に、ユーザの行為は買物の決済を行うものと推定し、動作モードを決済前モードに移行させてＲＦＩＤリーダの電源をオフかつ近距離無線通信部の電源をオンにすること、及び
位置情報が、店舗のいずれかのレジを経由して店舗のいずれかの出口に来たことを示す場合に、ユーザの行為は退店するものと推定し、動作モードを退店モードに移行させてＲＦＩＤリーダの電源をオフかつ近距離無線通信部の電源をオフにすること、を実行するように構成できる。
【０００９】
本発明は、制御部が、動作モードが移行したときに、通知を発すること、をさらに実行するように構成できる。本発明は、制御部が、ＲＦＩＤリーダが商品のいずれかに取り付けられたＲＦＩＤタグを検知したときに、ＲＦＩＤタグから商品情報を読み出し、商品情報に対応する商品を購買リストに記憶すること、をさらに実行するように構成できる。本発明は、制御部が、決済前モードに移行したときに、決済を促すメッセージ又は音声を出力すること、をさらに実行するように構成できる。本発明は、近距離無線通信部を通じて店舗端末と通信し、購買リストに記憶された商品の決済を行う決済部、をさらに有し、決済前モードへの移行は、決済部による決済が完了した状態で、位置情報が、店舗のいずれかの売場を経由して前記店舗のいずれかのレジに来たことを示す場合に行われるように構成できる。本発明は、制御部が、ＲＦＩＤリーダが商品のいずれかに取り付けられたＲＦＩＤタグを検知した後に、決済部による決済が行われない状態で、位置情報が店舗のいずれかの出口に来たことを示す場合に、警告を発すること、をさらに実行するように構成できる。本発明は、店舗サーバと通信する通信部をさらに有し、制御部は、位置情報が、店舗のいずれかの入口を経由して店舗の内部に来たことを示す場合に、入店した旨を店舗サーバに通信部により通知すること、をさらに実行するように構成できる。本発明は、制御部が、入店した旨を通知した後に、店舗サーバからクーポン情報を受信すること、をさらに実行するように構成できる。本発明は、制御部が、位置情報が店舗のいずれかの出口を経由して店舗の外部に来たことを示す場合に、退店した旨を店舗サーバに通信部により通知すること、をさらに実行するように構成できる。本発明は、制御部が、退店した旨を通知した後に、店舗サーバからクーポン情報を受信すること、をさらに実行するように構成できる。本発明は、上記のいずれかの携帯端末装置としてコンピュータを機能させるためのコンピュータプログラムや、それを記憶した記録媒体としても成立する。
【発明の効果】
【００１０】
本発明は、ユーザが店舗で商品を購入する際に使用する携帯端末装置において、位置情報に基づきユーザの行為を推定し、当該推定された行為に基づいて、ＲＦＩＤリーダの電源及び近距離無線通信部の電源のそれぞれのオン・オフ制御、を実行するため、ＲＦＩＤによる商品の検出を行うか否か、及び近距離無線通信部を使用した商品の決済を行うか否かという状況に合わせてＲＦＩＤリーダの電源及び近距離無線通信部の電源を適切にオン・オフすることができ、ユーザが必要な機能を動作させながら、電力消費を抑えることができ、バッテリーの持続時間を延長させることができるという効果を有する。
【図面の簡単な説明】
【００１１】
【図１】携帯端末装置１００のブロック図である。
【図２】携帯端末装置１００と接続されるシステムの構成を示す概要構成図である。
【図３】ＢＬＥビーコンの店舗の天井への設置のイメージ図である。
【図４】携帯端末装置１００の動作フロー図である。
【図５】携帯端末装置１００の動作フロー図である。
【図６】店舗と、店舗入口に設置されたＢＬＥビーコンのイメージ図である。
【図７】買物カゴ内の商品を検知する状況のイメージ図である。
【図８】商品を決済する状況のイメージ図である。
【図９】店舗と、店舗出口に設置されたＢＬＥビーコンのイメージ図である。
【発明を実施するための形態】
【００１２】
（本発明の基本概念）
本発明は、スマートフォンのような携帯端末装置をショッピングの決済に利用する際に、ＲＦＩＤリーダ機能及びＮＦＣ機能の電源をユーザの状況に応じて適切にオン・オフすることによりスマートフォンのバッテリー消費を抑えるものである。その基本的な概念は以下の通りである。
【００１３】
ユーザが店舗で買物をする際にスマートフォン上でショッピングのアプリケーションを動作させておく。スマートフォンのＲＦＩＤリーダ機能によって、購入のために買物カゴに入れられ、スマートフォンの近傍の位置に来た商品に付されたＲＦＩＤタグを検知し、ＲＦＩＤタグに記憶された情報を読み出してスマートフォンに入力する。スマートフォンは、ＲＦＩＤタグに記憶された情報を入力する際に、（１）現在位置情報（どの場所にいるか。例えば、入口、売場、レジなど）、（２）過去位置情報（過去、典型的には現在の直前のどの場所から現在の場所に移動してきたか。例えば、現在売場にいる場合の入口、など）のそれぞれの情報に基づいてユーザの買物に関する行為を推定し、その推定に基づきスマートフォンの動作モードを切り換え、ＲＦＩＤリーダ機能及びＮＦＣ機能のそれぞれの機能の電源を適切にオン・オフすることにより有効化／無効化を行う。これにより、必要な機能を停止させることなく、スマートフォンのバッテリー消費を抑えることができる。さらに、（３）商品検知情報（買物カゴに商品が入っているか否か）、（４）決済履歴情報（検知した商品の決済が完了しているか）を使用することにより、ユーザの異常行動などを検知し、適切な警告などをスマートフォンから出力させることができる。本発明では、（１）から（４）の情報をどのように使用して、ユーザの行為を推定し、スマートフォンの機能（ＲＦＩＤリーダ、ＮＦＣ、警告）を制御するのかについて、以下の表１に示す。なお、表１には、次に行うべき推奨行為についても記載しており、スマートフォンに、そのような推奨行為を表示してユーザにガイドを提供することも可能である。表１に記載した情報は、必要なものをスマートフォンで使用されるアプリケーションにテーブルとして記憶させておいたり、スマートフォンで動作するアプリケーションにロジックとして組み込んだり、ネットワーク上のサーバに記憶させてスマートフォンが必要に応じて読み出すように構成することができる。
【００１４】
【表１】
2020038489.tif 000003
【００１５】
表１の状態Ａは、典型的には、ユーザの直前の位置が入口（出入口を含む）、入口外側、店舗外やデパートの売場外であった場合において、現在位置が小売店舗内やデパートの売場にある状態である。この状態は、ユーザがこれから買物をしようとしている買物前の状態と推定される。現在位置や過去位置は、ユーザが買物をできる状態に対応するものであれば、他の条件の位置を使用することができる。例えば、過去位置は店舗内の他のフロアーの売場であり、現在位置として店舗内（売場）、入口内側などとすることもできる。また、それらの複数の条件を組み合わせることもできる。ここで、典型的にはＲＦＩＤリーダ機能により商品は検知されておらず、また商品の決済も行われていない。ユーザは決済の前に商品を買物カゴに入れる必要があるためＲＦＩＤリーダ機能の電源はオンとするが、現在位置がレジの近傍ではなく会計は行われないためＮＦＣ機能の電源はオフとする。商品は検知されていないため、警告はオフである。次に行う推奨行為は、買物により買物カゴに商品を投入することである。
【００１６】
表１の状態Ｂは、典型的には、ユーザの直前の位置が小売店舗内やデパートの売場であった場合において、現在位置がレジのような店舗端末の近傍にある状態である。この状態は、ユーザが購入する商品をすべて買物カゴに入れて、会計（決済）をしようとしている決済前の状態と推定される。現在位置や過去位置は、ユーザが決済を行える状態に対応するものであれば、他の条件の位置を使用することができる。例えば、過去位置は入口であり、現在位置はレジ近傍などとすることもできる。また、それらの複数の条件を組み合わせることもできる。ここで、典型的にはＲＦＩＤリーダ機能により商品が検知されているが、まだ商品の決済は行われていない。ユーザは新しく商品を買物カゴに入れることはないためＲＦＩＤリーダ機能の電源はオフとするが、レジで会計が行われようとしているためＮＦＣ機能の電源はオンとする。商品が検知されているが会計がなされようとしているため、警告はオフである。次に行う推奨行為は、スマートフォンをレジのＮＦＣのリーダライタにかざして決済を行うことである。
【００１７】
表１の状態Ｃは、典型的には、ユーザの直前の位置がレジのような店舗端末の近傍であった場合において、現在位置が店舗外やデパートの売場外に通じる出口（出入口を含む）にあり、かつ、商品の決済が完了した状態（あるいは、そもそも商品を買物カゴに入れていない）である。この状態は、ユーザが商品を購入して決済を行った後に退店する状態と推定される。現在位置や過去位置は、ユーザが決済を行って退店しようとする状態に対応するものであれば、他の条件の位置を使用することができる。例えば、過去位置はレジ近傍であるが、現在位置は店舗内の他のフロアーの売場などとすることもできる。また、それらの複数の条件を組み合わせることもできる。ユーザが退店の状態にあることは、ＲＦＩＤリーダ機能により検知された商品の決済は完了していることが条件である。ユーザは新しく商品を買物カゴに入れることはないためＲＦＩＤリーダ機能の電源はオフとし、レジで会計が行われることもないためＮＦＣ機能の電源もオフとする。会計が完了しているため、警告はオフである。次に行う推奨行為は、退店することである。
【００１８】
表１の状態Ｄは、典型的には、ユーザの直前の位置が小売店舗内やデパートの売場であった場合において、現在位置が店舗外やデパートの売場外に通じる出口にある状態であり、かつ、商品の決済が完了していない状態である。この状態は、商品を不正に持ち出そうとしている状態と推定される。現在位置や過去位置は、ユーザが商品を不正に持ち出そうとしている状態に対応するものであれば、他の条件の位置を使用することができる。例えば、過去位置は店舗内の売場であるが、現在位置は店舗内の他のフロアーの売場などとすることもできる。決済が行われていなければ、過去位置にレジ近傍があってもよい。また、それらの複数の条件を組み合わせることもできる。ユーザが不正持ち出しの状態にあることは、ＲＦＩＤリーダ機能により検知された商品の決済が完了していないことが条件である。ユーザは新しく商品を買物カゴに入れることはないためＲＦＩＤリーダ機能の電源はオフとし、すぐにレジで会計が行われることもないためＮＦＣ機能の電源もオフとする。会計が完了していないのに商品を持ち出そうとしているため、警告をオンとする。次に行う推奨行為は、店舗内に戻って決済をすることである。
【００１９】
（携帯端末装置１００の構成）
これから図面を参照し、本発明の一実施形態である携帯端末装置１００を説明する。携帯端末装置１００は、ユーザが店舗で商品を購入する際に使用する携帯端末装置であり、典型的には、スマートフォンのような無線通信機能を有する携帯コンピュータ端末である。まず、携帯端末装置１００の構成について説明する。図１は、携帯端末装置１００の構成を示すブロック図である。携帯端末装置１００は、大きく、制御部１０１、ＲＦＩＤリーダ１０２、近距離無線通信部１０３、決済部１０４、通信部１０５、ユーザＩ／Ｆ  １０６、位置情報取得部１０７から構成される。携帯端末装置１００は、典型的には、所与のプログラムを実行する機能、通信機能、ＲＦＩＤリーダ機能、ＮＦＣ通信機能、決済機能を有するスマートフォンのような携帯可能な端末装置である。制御部１０１は、携帯端末装置１００の動作を制御する各種の動作を実行するための回路であり、典型的には、プロセッサ、一時メモリ、フラッシュＲＯＭがバスで接続されて構成されたデータ処理回路である。制御部１０１は、フラッシュＲＯＭに記憶されたプログラムをプロセッサが一時メモリのワークエリアを利用して実行することにより、各種の制御動作を実行する。本発明による携帯端末装置１００の特徴的な動作は、フラッシュＲＯＭに記憶されたショッピングのアプリケーションが実行されることにより、制御部１０１を実現するモジュールが形成されることにより実行される。
【００２０】
ＲＦＩＤリーダ１０２は、ＩＤ情報を記憶し、近距離無線通信機能を有するＲＦＩＤタグから、近距離無線通信によってＩＤ情報などを読み出すための、アンテナ、高周波回路、データ処理回路などを含むリーダ装置である。ＲＦＩＤタグは、典型的にはＵＨＦ帯の電波を使用して情報を伝達する。ＲＦＩＤリーダ１０２は、数１０ｃｍから１ｍ程度の近距離のＲＦＩＤタグを検知するように出力などが調整されている。これにより、店舗の棚に並べられた商品に付されたＲＦＩＤタグを検知しない一方で、ユーザが持つ買物カゴ内の商品に付されたＲＦＩＤタグは検知することができる。ユーザが移動すると次々と別の商品のＲＦＩＤが検知されるような状況が発生した場合は、買物カゴに入っていない棚の商品を検知していると考えられるため、このような状況が検知されると、それが起こらない程度にＲＦＩＤリーダ１０２の電波の出力を低下させる処理を行ってもよい。
【００２１】
近距離無線通信部１０３は、外部レジである店舗端末などと、いわゆるＮＦＣによる通信を行うための、アンテナ、高周波回路、データ処理回路などを含む通信回路である。ＮＦＣは、典型的にはＨＦ帯の電波を使用して情報を伝達する。決済部１０４は、商品などを購入する際の決済を行うための回路である。決済部１０４は、典型的には、電子マネーの残額を記憶したＩＣと決済の処理を行うためのプロセッサ、一時メモリ、フラッシュＲＯＭなどからなるデータ処理回路である。決済部１０４は、典型的には、近距離無線通信部１０３と接続されていて、店舗端末と非接触通信をして決済処理を実行する。
【００２２】
通信部１０５は、携帯電話網のような外部のネットワークと典型的には無線で通信するための回路である。通信部１０５は、有線で通信するためのＩ／Ｆであってもよい。通信部１０５は、典型的には、アンテナ、高周波回路、データ処理回路などを含む回路である。ユーザＩ／Ｆ  １０６は、ユーザに対してデータ表示、音声出力などを行うためのディスプレイ、スピーカー、ＬＥＤ、バイブレーション素子や、ユーザから操作指示の入力を行うためのタッチパネル、ボタン類や、及びそれらを駆動する回路などのユーザインターフェイス回路である。
【００２３】
位置情報取得部１０７は、位置に関連する情報を有する電波信号を外部から受信して現在位置の情報を取得する回路であり、典型的には、Ｂｌｕｅｔｏｏｔｈ（登録商標）受信機又はＧＰＳ受信機、あるいはその両方である。位置情報取得部１０７がＢｌｕｅｔｏｏｔｈ受信機の場合、外部のＢｌｕｅｔｏｏｔｈ  Ｌｏｗ  Ｅｎｅｒｇｙ（ＢＬＥ）ビーコンからの電波信号を受信することによって現在位置の情報を取得する。Ｂｌｕｅｔｏｏｔｈによる位置情報取得のため、店舗の天井には等間隔にＢＬＥビーコンを予め設置しておく。図３は、ＢＬＥビーコンの店舗の天井への設置のイメージ図である。図３には、店舗の天井へＢＬＥビーコン１５２が設置されており、ユーザが手にしている携帯端末装置１００の位置情報取得部１０７であるＢｌｕｅｔｏｏｔｈ受信機がそれを検知することにより、現在位置情報を取得することが示されている。具体的には、Ｂｌｕｅｔｏｏｔｈ受信機がＢＬＥビーコン１５２からの電波信号を受信すると、そのＢＬＥビーコン１５２の識別情報をその電波信号から取得し、それを制御部１０１に伝達する。制御部１０１は、あらかじめ、それぞれのＢＬＥビーコン１５２の識別情報と設置位置の対応を記憶しており、対応するＢＬＥビーコン１５２の識別情報の設置位置を読み出すことにより、現在位置を取得する。なお、ＢＬＥビーコン１５２の識別情報と設置位置の対応はサーバ上に記憶させておき、インターネットを経由してサーバに対して識別情報を送って設置位置を問い合わせることにより、現在位置を取得するように構成してもよい。又、ＢＬＥビーコン１５２の電波信号の中に設置位置の情報をエンコードしておいてもよい。設置位置は、対象の店舗における位置を区別するものであり、少なくとも、入口（出入口を含む。入口のすぐ外側や、すぐ内側を区別してもよい）、出口（出入口を含む。出口のすぐ外側や、すぐ内側を区別してもよい）、店舗内（売場）、レジ近傍を区別できるものである。Ｂｌｕｅｔｏｏｔｈ受信機は、複数のＢＬＥビーコン１５２からの電波信号を同時に受信して、それらとの位置関係を判断したり、ＢＬＥビーコン１５２からの電波信号の強度を測定し、その強度からそれぞれのＢＬＥビーコン１５２からの距離を判断したりすることによって、設置位置をさらに精密に決定することもできる。
【００２４】
位置情報取得部１０７がＧＰＳ受信機の場合は、ＧＰＳ測位衛星からの測位信号を受信することによって現在位置の座標（経度緯度）情報を取得する。制御部１０１は、あらかじめ、座標と設置位置の対応を記憶しており、対応する座標の設置位置を読み出すことにより、現在位置を取得する。なお、座標と設置位置の対応はサーバ上に記憶させておき、インターネットを経由してサーバに対して座標情報を送って設置位置を問い合わせることにより、現在位置を取得してもよい。
【００２５】
次に、携帯端末装置１００が、外部のシステムとどのように接続されるのかについて説明する。図２は、携帯端末装置１００と接続されるシステムの構成を示す概要構成図である。携帯端末装置１００は、決済時に、それの近距離無線通信部１０３を介して店舗端末１５１と接続される。店舗端末１５１は、決済処理機能を有するレジ端末である。店舗端末１５１は、典型的には、店舗サーバ１５０とＬＡＮで接続される。店舗端末１５１は近距離無線通信部１０３と通信するためのリーダライタ部を有している。店舗端末１５１は、リーダライタ部を内蔵する代わりに、リーダライタ１５１ａと接続されていてもよい。店舗サーバ１５０は、商品情報管理、クーポン発行などの顧客情報及び広告情報管理などの機能を提供するサーバである。店舗サーバ１５０は、典型的には、公衆無線通信網により携帯端末装置１００と接続される。すなわち、店舗サーバ１５０は、インターネットを通じて移動体通信事業者が提供する公衆無線通信網の基地局２００を介して、携帯端末装置１００と無線で接続される。
【００２６】
（携帯端末装置１００の動作）
次に、携帯端末装置１００の動作について説明する。図４及び５は、携帯端末装置１００の動作を示す動作フロー図である。まず、ユーザは、デパート、小売店などの店舗に入る前に携帯端末装置１００において当該店舗が提供するショッピングのアプリケーションを立ち上げ、携帯端末装置１００でショッピングのアプリケーションを動作させておく（ステップＳ１）。ユーザは店舗が提供するショッピングのアプリケーションを携帯端末装置１００上で動作させた状態にする。例えば、ユーザがこれから、店舗としてスーパーマーケットＢで買物をする場合は、当該スーパーマーケットＢ用のショッピングのアプリケーションを携帯端末装置１００で動作させておく。ショッピングのアプリケーションは、ＲＦＩＤリーダ１０２で検知したＲＦＩＤタグが付与された商品を記憶する商品検知履歴機能や、それらの商品の決済をさせる機能に加えて、位置情報取得部１０７により取得した現在や過去の位置に基づき、ＲＦＩＤリーダ１０２や近距離無線通信部１０３のそれぞれの電源のオン・オフ制御を行う制御を制御部１０１に実行させるものである。ショッピングのアプリケーションが動作することによって、制御部１０１は位置情報をモニタすることを開始し、位置情報に基づき、ユーザの行動を推定し、推定された行為に基づいて携帯端末装置１００の機能、特に、ＲＦＩＤリーダ１０２及び近距離無線通信部１０３の電源のオン・オフ制御を開始する。これにより、ＲＦＩＤによる商品の検出を行うか否か、及び近距離無線通信部１０３を使用した商品の決済を行うか否かという状況に合わせてＲＦＩＤリーダ１０２の電源及び近距離無線通信部１０３の電源を適切にオン・オフすることができ、ユーザが必要な機能を動作させながら、電力消費を抑えることができ、バッテリーの持続時間を延長させることができる。位置情報は、好適には、過去の位置情報と現在の位置情報の組み合わせを使用する。これにより、ユーザの行為をより正確に推定して非接触通信機能をより適切に制御できる。
【００２７】
制御部１０１は、位置情報取得部１０７（Ｂｌｕｅｔｏｏｔｈ受信機又はＧＰＳ受信機）を使用して携帯端末装置１００の位置を確認している。制御部１０１は、位置情報取得部１０７によって取得した位置情報に基づき、ユーザが入店したことを検知する（ステップＳ２）。位置情報取得部１０７がＢｌｕｅｔｏｏｔｈ受信機の場合、ユーザが店舗に入ると、Ｂｌｕｅｔｏｏｔｈ受信機が店舗の入口付近に設置されたＢＬＥビーコン１５２からの位置信号を受信して位置情報を取得し、入店したことを検知する。入店したことは、位置情報が店舗に対して入口（あるいは出入口）の外側から内側に移動したことや、入口の内側から店舗内に移動したことなどで検知するようにしてもよい。図６は、店舗と、店舗入口に設置されたＢＬＥビーコンのイメージ図である。ＢＬＥビーコン１５２ａ及び１５２ｂが店舗入口から店舗内に入った直後の頭上に設置されており、これらのＢＬＥビーコンの識別情報と設置場所の対応は、ショッピングのアプリケーションに入口のすぐ内側に対応するものとして記憶されている。ＢＬＥビーコン１５２の識別情報と設置場所の対応は店舗サーバ１５０に記憶させておくことも可能であり、この場合、制御部１０１がＢＬＥビーコン１５２の識別情報を基地局２００及びインターネットを通じて店舗サーバ１５０に送って問い合わせることにより現在位置を取得する。制御部１０１は、Ｂｌｕｅｔｏｏｔｈ受信機で受信したＢＬＥビーコン１５２の識別情報がＢＬＥビーコン１５２ａ又は１５２ｂの識別情報であれば、ユーザが入店したものと判断する。また、Ｂｌｕｅｔｏｏｔｈ受信機が、入口の外側に設置されたＢＬＥビーコン１５２ｃ又は１５２ｄの後に、入口の内側に設置されたＢＬＥビーコン１５２ａ又は１５２ｂを検出したこと、すなわち、ユーザが入口の外側から内側に移動したことによって、ユーザが入店したと判断することも可能である。制御部１０１は、ユーザが入店したと判断すれば、動作をステップＳ３に移行させる。位置情報取得部１０７がＧＰＳ受信機の場合は、取得した座標情報に対応する設置位置が入口近傍にあり、店舗の建物内にユーザが入って、ＧＰＳの測位信号の信号強度が低下したことなどによって、ユーザが入店したと判断することができる。
【００２８】
なお、ユーザが入店したと判断した時に、制御部１０１はその旨をインターネットを通じて店舗サーバ１５０に通知すると好適である。このようにすると、店舗にユーザの入店に対して適切なアクションを行う機会を提供できる。入店を通知された店舗サーバ１５０は、インターネットを通じて「５％OFF」などの割引クーポンの情報を送信し、制御部１０１にそれを表示させてもよい。制御部１０１は、店舗サーバ１５０からクーポン情報を受信すると、「クーポンを獲得しました」などのメッセージを、ユーザＩ／Ｆ  １０６を使用して、ディスプレイやスピーカーから出力させたり、バイブレーションで通知したりすることができる。これにより、これから買物をしようとするユーザに購入のインセンティブを適切なタイミングで与えることができる。
【００２９】
制御部１０１は、位置情報取得部１０７を使用して取得したユーザの現在位置が、入口から店舗内あるいは売場に来たことを検知すると、動作を買物前モードに遷移させる（ステップＳ３）。すなわち、制御部１０１は、過去位置が入口であり、位置情報取得部１０７からの位置信号により現在位置が店舗内に入ったことを検知すると、ユーザが買物前の状態にあると推定し、動作を買物前モードに遷移させる。この状態は、前述の状態Ａに対応するものであり、過去位置及び現在位置については、状態Ａに関して述べた他の条件やそれらの組み合わせであってもよい。買物前モードでは、制御部１０１は、ＲＦＩＤリーダ１０２の電源をオン、近距離無線通信部１０３の電源をオフとする。これにより、近距離無線通信部１０３による電力消費を抑えつつ、ＲＦＩＤリーダ１０２による商品に付けられたＲＦＩＤタグの検知が開始され、買物カゴ内に商品が入ったことが検出されるようになる。なお、制御部１０１は、買物前モードに遷移したことを、ユーザＩ／Ｆ  １０６を使用して、メッセージをディスプレイに表示したり、バイブレーションで通知したり、ＬＥＤの点灯や点滅で通知したり、メッセージをスピーカーで音声により通知したりすることができる。メッセージは、「買物の準備ができました。商品を買物カゴに入れて下さい」などの、次に推奨される行動を示すものであれば好適である。
【００３０】
制御部１０１は、ＲＦＩＤリーダ１０２から商品に付けられたＲＦＩＤタグを検知した旨の通知があるかどうかをモニタしている。これにより、買物カゴ内に商品が入ったことを、ＲＦＩＤタグを使用して検知する（ステップＳ４）。図７は、買物カゴ内の商品を検知する状況のイメージ図である。買物カゴ内に商品が投入されたとき、それはユーザが保持している携帯端末装置１００の近傍に位置することになり、商品に付されたＲＦＩＤタグに記録された情報がＲＦＩＤリーダ１０２によって読み取られる。制御部１０１は、ＲＦＩＤリーダ１０２が商品に付けられたＲＦＩＤタグを検知すると、動作をステップＳ５に移行させる。ＲＦＩＤリーダ１０２は、商品に付されたＲＦＩＤタグを検知するときに、そこに記憶された情報を取得する。ＲＦＩＤタグには、例えば、「商品コード：00000001」、「賞味期限：201812321」、「製品シリアル番号：00000001」などの情報が記録されている。ＲＦＩＤタグには、他には、「商品名称：＊＊＊＊」、「価格：980」などの情報を記録させていてもよい。例えば、ユーザが商品棚から牛乳を取り上げ、それを買物カゴに投入すると、その牛乳に付されたＲＦＩＤタグの情報がＲＦＩＤリーダ１０２によって読み取られて、制御部１０１に伝達される。
【００３１】
制御部１０１は、携帯端末装置１００のディスプレイに、買物カゴ内の商品の名称、値段などの属性を表示する（ステップＳ５）。すなわち制御部１０１は、ＲＦＩＤリーダ１０２が商品に付されたＲＦＩＤタグから読み取った情報に基づいて、その商品の属性をディスプレイに表示する。例えば、商品名称や価格の情報をＲＦＩＤタグから読み取った場合には、制御部１０１は、それらの情報をディスプレイに表示させる。ＲＦＩＤタグから読み取った情報に商品コードが含まれているが商品名称や価格などが含まれていない場合には、制御部１０１は、商品コードに対応する商品名称や価格などの情報を基地局２００及びインターネットを介して店舗サーバ１５０に問い合わせて取得し、それを表示すると好適である。制御部１０１は、ＲＦＩＤタグの情報を読み取った商品を商品検知情報の履歴として購買リストにして記憶し、その時点で購買リストに存在するすべての商品の価格を合計し、その合計価格もディスプレイに表示させる。なお、商品を検知した際に、表示、音声、バイブレーションなどで商品を検知したことをユーザに通知してもよい。ユーザは、すべての購入希望商品を買物カゴに入れるまで購入する商品を買物カゴに入れ続け、ＲＦＩＤリーダ１０２はそれらの商品のＲＦＩＤタグの情報を読み取り、制御部１０１はその商品の情報を購買リストに追加して表示させる。
【００３２】
次に、制御部１０１は、位置情報取得部１０７を使用して取得したユーザの現在位置がレジ近傍にきたことを検知する（ステップＳ６）。位置情報取得部１０７がＢｌｕｅｔｏｏｔｈ受信機の場合、Ｂｌｕｅｔｏｏｔｈ受信機が店舗端末１５１の付近に設置されたＢＬＥビーコン１５２からの位置信号を受信して位置情報を取得し、ユーザがレジ近傍にきたことを検知する。すなわち、制御部１０１は、あらかじめ、レジ近傍に設置されたＢＬＥビーコン１５２の識別情報を記憶しており、Ｂｌｕｅｔｏｏｔｈ受信機がＢＬＥビーコン１５２から受信した電波信号に含まれるＢＬＥビーコン１５２の識別情報がそれに含まれていれば、ユーザが店舗端末１５１の近傍にいると判断する。店舗サーバ１５０がそれぞれのＢＬＥビーコン１５２の識別情報と設置位置の対応を記憶しており、制御部１０１は、ＢＬＥビーコン１５２の識別情報を取得したときに、基地局２００及びインターネットを介して店舗サーバ１５０に当該識別情報がレジ近傍に設置されたＢＬＥビーコン１５２の識別情報であるかどうかを問い合わせ、それに対する結果からユーザがレジの近傍にいるかどうかを判断するようにしてもよい。又、ＢＬＥビーコン１５２の電波信号の中に店舗内の設置位置の情報をエンコードしておき、位置情報取得部１０７を介して、制御部１０１に位置情報を伝えてもよい。制御部１０１は、ユーザが店舗端末１５１の近傍に来たと判断すれば、動作をステップＳ７に移行させる。
【００３３】
制御部１０１はユーザの過去の位置が店舗内であり、位置情報取得部１０７を使用して取得した現在の位置がレジ近傍である場合に、動作を決済前モードに遷移させる（ステップＳ７）。すなわち、制御部１０１は、直前の位置情報が店舗内である状態で、位置情報取得部１０７からの位置信号により店舗端末１５１の近傍に来たことを検知すると、ユーザが買物の支払いを行う前の状態にあると推定し、動作を決済前モードに遷移させる。この状態は、前述の状態Ｂに対応するものであり、過去位置及び現在位置については、状態Ｂに関して述べた他の条件やそれらの組み合わせであってもよい。決済前モードになると、制御部１０１は、ＲＦＩＤリーダ１０２の電源はオフ、近距離無線通信部１０３の電源はオンとする。これにより、ＲＦＩＤリーダ１０２による電力消費を抑えつつ、近距離無線通信部１０３を通じて店舗端末１５１との通信に基づき、決済部１０４での購入した商品の決済を行うことができるようになる。なお、制御部１０１は、決済前モードに遷移したことを、ユーザＩ／Ｆ  １０６を使用して、メッセージをディスプレイに表示したり、バイブレーションで通知したり、ＬＥＤの点灯や点滅で通知したり、メッセージをスピーカーで音声により通知したりすることができる（ステップＳ８）。メッセージは、決済を促す「スマホをレジにかざして決済してください」のような、次に推奨される行動を示すものであれば好適である。
【００３４】
制御部１０１は、決済部１０４が近距離無線通信部１０３を通じて店舗端末１５１と通信してＲＦＩＤにより検知した商品の決済が完了したどうかをモニタしている（ステップＳ９）。すなわち、制御部１０１は、決済部１０４から商品の決済が完了した旨の通知を待っており、その通知を受ければ、決済が完了したものとして次のステップに移行させる。図８は、商品を決済する状況のイメージ図である。決済においては、ユーザは携帯端末装置１００を店舗端末１５１のＮＦＣリーダライタ部（又は、店舗端末１５１に接続されたリーダライタ１５１ａ）にかざして、近距離無線通信部１０３を通じて携帯端末装置１００と店舗端末１５１とが通信できるようにする。決済においては、制御部１０１は、検知した商品の情報を、近距離無線通信部１０３を通じて店舗端末１５１に送信する。店舗端末１５１は、好適には、受信した商品の情報に基づき、購入する商品の一覧や合計金額を求め、それをディスプレイに表示して、レジ担当者やユーザに確認させる。店舗端末１５１は、レジ担当者又はユーザから決済の指示を受け付け、それに応じて、近距離無線通信部１０３を通じて決済部１０４に対して、電子マネーの残高から合計金額を引き落とす要求を送信する。決済部１０４は、それが記憶する電子マネーから、その合計金額を引き落とし、決済が完了した旨と残高とを近距離無線通信部１０３を通じて店舗端末１５１に送信すると共に、制御部１０１に商品の決済が完了した旨を通知する。これにより、商品の決済が完了する。制御部１０１は、商品の決済が完了すると、動作をステップＳ１０に移行させる。
【００３５】
制御部１０１は、位置情報取得部１０７によって取得した位置情報に基づき、ユーザが退店したことを検知する（ステップＳ１０）。位置情報取得部１０７がＢｌｕｅｔｏｏｔｈ受信機の場合、ユーザが店舗外に出ると、Ｂｌｕｅｔｏｏｔｈ受信機が店舗の出口付近に設置されたＢＬＥビーコン１５２からの位置信号を受信して位置情報を取得し、退店したことを検知する。退店したことは、位置情報が店舗に対して出口（あるいは出入口）の内側から外側に移動したことや、店舗内から出口の外側に移動したことなどで検知するようにしてもよい。図９は、店舗と、店舗出口に設置されたＢＬＥビーコン１５２のイメージ図である。ＢＬＥビーコン１５２ｃ及び１５２ｄが店舗出口から店舗外に出た直後の頭上に設置されており、これらのＢＬＥビーコン１５２の識別情報と設置場所の対応は、ショッピングのアプリケーションに出口のすぐ外側に対応するものとして記憶されている。ＢＬＥビーコン１５２の識別情報と設置場所の対応は店舗サーバ１５０に記憶させておくことも可能であり、この場合、制御部１０１がＢＬＥビーコン１５２の識別情報を基地局２００及びインターネットを介して店舗サーバ１５０に送って問い合わせることにより現在位置を取得する。制御部１０１は、Ｂｌｕｅｔｏｏｔｈ受信機で受信したＢＬＥビーコン１５２の識別情報がＢＬＥビーコン１５２ｃ又は１５２ｄの識別情報であれば、ユーザが退店したものと判断する。また、Ｂｌｕｅｔｏｏｔｈ受信機が、出口の内側に設置されたＢＬＥビーコン１５２ａは１５２ｂの後に、出口の外側に設置されたＢＬＥビーコン１５２ｃ又は１５２ｄを検出したこと、すなわち、ユーザが店舗に対して出口の内側から外側に移動したことによって、ユーザが退店したと判断することも可能である。制御部１０１は、ユーザが退店したと判断すれば、動作をステップＳ１１に移行させる。位置情報取得部１０７がＧＰＳ受信機の場合は、店舗の建物内にユーザがいることによりＧＰＳの測位信号のレベルが低下している状態から、ＧＰＳの測位信号の信号強度が上昇し、取得した座標情報に対応する設置位置が出口近傍にあることなどによって、ユーザが退店したと判断することができる。
【００３６】
制御部１０１は、ユーザが決済を終えた後に出口を通じて店舗外に出ると、退店モードに遷移し、それを店舗サーバ１５０に通知する（ステップＳ１１）。すなわち、制御部１０１は、決済部１０４による決済が完了した状態で、過去位置がレジ近傍であり、位置情報取得部１０７からの位置信号により現在位置が出口に来たことを検知すると、ユーザが決済を完了して退店する状態にあると推定し、動作を退店モードに遷移させる。なお、この状態は、前述の状態Ｃに対応するものであり、過去位置及び現在位置については、状態Ｃに関して述べた他の条件やそれらの組み合わせであってもよい。退店モードでは、制御部１０１は、ＲＦＩＤリーダ１０２の電源をオフ、近距離無線通信部１０３の電源をオフとする。これにより、ＲＦＩＤリーダ１０２及び近距離無線通信部１０３による電力消費を抑えることができる。なお、制御部１０１は、退店モードに遷移したことを、ユーザＩ／Ｆ  １０６を使用して、メッセージをディスプレイに表示したり、バイブレーションで通知したり、ＬＥＤの点灯や点滅で通知したり、メッセージをスピーカーで音声により通知したりすることができる。メッセージは、「またのご来店をお待ちしております」などの、次に推奨される行動を示すものであれば好適である。
【００３７】
なお、退店モードに遷移した時に、制御部１０１はそれをインターネットを通じて店舗サーバ１５０に通知すると好適である。このようにすると、店舗にユーザの退店に対して適切なアクションを行う機会を提供できる。退店を通知された店舗サーバ１５０は、インターネットを通じて「次回来店時５％OFF」などの割引クーポンの情報を送信し、制御部１０１にそれを表示させてもよい。制御部１０１は、店舗サーバ１５０からクーポン情報を受信する（ステップＳ１２）。制御部１０１は、そのような割引クーポンの情報を受け取ると、「クーポンを獲得しました」などのメッセージを、ディスプレイやスピーカーから出力させたり、バイブレーションで通知したりすることができる。これにより、買物が終わったユーザに再来店のインセンティブを適切なタイミングで与えることができる。
【００３８】
なお、割引クーポンの情報は、電子メールで送信してもよい。この場合、店舗サーバ１５０は、あらかじめユーザのメールアドレスを記憶しており、電子メールで割引クーポンを送信する。そのような電子メールは、買物が終わった直後、買物が終わってから一定期間が経過した後、定期的、セールの開催前、などの種々のタイミングで送信することができる。携帯端末装置１００は、メーラーのアプリケーションを使用して、電子メールで送られた割引クーポンを表示させることができる。
【００３９】
なお、好適には、制御部１０１は、ユーザが決済を終えずに出口に来ると、不正持ち出しモードに遷移する（ステップＳ１１ａ）。すなわち、制御部１０１は、決済部１０４による決済が完了しない状態で、過去位置が店舗内であり、位置情報取得部１０７からの位置信号により現在位置が出口に来たことを検知すると、ユーザが決済を忘れて商品を持ち出そうとしたり、あるいは決済を行わずに不正に商品を持ち出そうとしている状態にあると推定し、動作を不正持ち出しモードに遷移させる。なお、この状態は、前述の状態Ｄに対応するものであり、過去位置及び現在位置については、状態Ｄに関して述べた他の条件やそれらの組み合わせであってもよい。不正持ち出しモードでは、制御部１０１は、ＲＦＩＤリーダ１０２の電源をオフ、近距離無線通信部１０３の電源をオフとするが、さらに、ユーザＩ／Ｆ  １０６を使用して、ユーザ及び／又は店員に対して警告を出力する。ユーザに対する警告は、「店舗内に戻って決済を行って下さい」などの警告メッセージをディスプレイやスピーカーから出力すること、警告音をスピーカーから出力すること、ＬＥＤを点滅させること、などによって行うことができる。店員に対する警告は、スピーカーから警告音や警告メッセージを出力すること、ディスプレイに警告メッセージを表示すること、通信部１０５により基地局２００及びインターネットを介して店舗サーバ１５０に不正持ち出しがなされている旨の情報の伝達を行うこと、などによって行うことができる。店舗サーバ１５０は、そのような情報の伝達がなされると、警告の店内放送を行わせたり、店員や警備員にショートメッセージや電子メールなどで通知したりすることにより、店員などに適切な対処を促すことができる。これにより、ユーザによる商品の誤った持ち出しや不正な持ち出しを防止することができる。
【産業上の利用可能性】
【００４０】
本発明は、ユーザが小売店などの店舗で商品を購入する際に使用することができ、消費電力を抑えつつユーザに状況に合わせた適切な通知を行うことができる、スマートフォンのような携帯端末装置や、そのためのアプリケーションプログラムを提供することに利用することができる。
【符号の説明】
【００４１】
１００    ：携帯端末装置
１０１    ：制御部
１０２    ：ＲＦＩＤリーダ
１０３    ：近距離無線通信部
１０４    ：決済部
１０５    ：通信部
１０６    ：ユーザＩ／Ｆ
１０７    ：位置情報取得部
１５０    ：店舗サーバ
１５１    ：店舗端末
１５１ａ  ：リーダライタ
１５２    ：ＢＬＥビーコン
２００    ：基地局
【図１】
2020038489.tif 000004
【図２】
2020038489.tif 000005
【図３】
2020038489.tif 000006
【図４】
2020038489.tif 000007
【図５】
2020038489.tif 000008
【図６】
2020038489.tif 000009
【図７】
2020038489.tif 000010
【図８】
2020038489.tif 000011
【図９】
2020038489.tif 000012